(57)【要約】【課題】安全性を保ちつつレンズの加工性及び設計の自由度の向上を図る。【解決手段】照明装置１は、ＬＥＤ２と、ＬＥＤ２を支持するＬＥＤホルダ３と、ＬＥＤ２から放射される光の光路上に配置されるレンズ４とを備える。照明装置１は、レンズ４を覆うレンズカバー５と、レンズカバー５を保持する保持部材６とを備える。レンズカバー５は、透光性を有する不燃材により、ＬＥＤ２から離れる向きに突出する形状に形成されている。【選択図】        図３
2019220359.tif 000002
【特許請求の範囲】
【請求項１】
一つ以上の固体光源と、
前記固体光源を支持する支持部材と、
前記固体光源から放射される光の光路上に配置される一つ以上のレンズと、
前記レンズを覆うレンズカバーと、
前記レンズカバーを保持する保持部材と
を備え、
前記レンズカバーは、透光性を有する不燃材により、前記固体光源から離れる向きに突出する形状に形成されている、
照明装置。
【請求項２】
前記レンズカバーを形成する材料の屈折率と、前記レンズを形成する材料の屈折率とが等しい、
請求項１記載の照明装置。
【請求項３】
前記レンズを形成する材料がアクリル樹脂であり、前記レンズカバーを形成する材料がホウケイ酸ガラスである、
請求項２記載の照明装置。
【請求項４】
前記支持部材は、前記固体光源とともに前記レンズを支持しており、
前記支持部材を形成する材料の耐熱温度は、前記レンズを形成する材料の耐熱温度よりも高い、
請求項１〜３のいずれか１項記載の照明装置。
【請求項５】
前記支持部材は、前記固体光源とともに前記レンズを支持しており、
前記支持部材を形成する材料が金属材料である、
請求項１〜４のいずれか１項記載の照明装置。
【請求項６】
前記保持部材を形成する材料の耐熱温度は、前記レンズを形成する材料の耐熱温度よりも高い、
請求項１〜５のいずれか１項に記載の照明装置。
【請求項７】
前記保持部材を形成する材料は、金属材料である、
請求項６記載の照明装置。
【請求項８】
前記レンズカバーの表面の曲率は、前記レンズの表面の曲率に等しく、かつ、前記レンズカバーの厚みが均一である、
請求項１〜７のいずれか１項に記載の照明装置。
【請求項９】
前記レンズカバーの中央部分の厚みが、前記レンズカバーの周辺部分の厚みよりも薄い、
請求項１〜７のいずれか１項に記載の照明装置。
【請求項１０】
前記レンズカバーは、前記レンズの表面に接触している、
請求項８又は９記載の照明装置。
【請求項１１】
前記固体光源及び前記レンズの各々を複数備え、
前記複数のレンズの各々は、前記複数の固体光源のうちで一対一に対応する一つの固体光源から放射される光の光路上に配置されている、
請求項１〜１０のいずれか１項に記載の照明装置。
【請求項１２】
前記レンズカバーは、前記複数のレンズを覆う、
請求項１１記載の照明装置。
【発明の詳細な説明】
【技術分野】
【０００１】
本発明は、照明装置に関し、より詳細には、配光を制御するためのレンズを備えた照明装置に関する。
【背景技術】
【０００２】
従来例として、特許文献１記載の照明装置を例示する。特許文献１記載の照明装置は、例えばクリーンルームなどの天井に設置される防水形の非常灯（非常用照明装置）である。特許文献１記載の照明装置（以下、従来例と呼ぶ。）は、器具本体と、ＬＥＤ（Light Emitting Diode）と、バッテリパックと、充電回路と、点灯回路と、レンズとを有する。ＬＥＤは、器具本体に配置され、器具本体の開口部から光を照射する。バッテリパックは、器具本体に配置される。充電回路は、器具本体に配置され、外部電源によりバッテリパックを充電する。点灯回路は、器具本体に配置され、バッテリパックの電源によりＬＥＤを点灯させる。レンズは、ＬＥＤからの光の配光を制御する。
【０００３】
ところで、非常灯は、室内に露出する部分を不燃物で構成する必要がある。ゆえに、従来例においても、レンズはガラスのような透光性を有する不燃物で形成されることが望ましい。
【先行技術文献】
【特許文献】
【０００４】
【特許文献１】特開２０１６−２０１２１５号公報
【発明の概要】
【発明が解決しようとする課題】
【０００５】
ところで、一般にレンズを形成する材料としては、ガラスの他に合成樹脂（例えば、アクリル樹脂など）が普及している。しかしながら、合成樹脂製のレンズは、一般にガラス製のレンズに比べて加工性に優れるとともに設計の自由度が高い反面、合成樹脂が可燃物であるために非常灯用のレンズに用いられにくかった。
【０００６】
本発明の目的は、安全性を保ちつつレンズの加工性及び設計の自由度の向上を図ることができる照明装置を提供することである。
【課題を解決するための手段】
【０００７】
本発明の一態様に係る照明装置は、一つ以上の固体光源と、前記固体光源を支持する支持部材と、前記固体光源から放射される光の光路上に配置される一つ以上のレンズとを備える。前記照明装置は、前記レンズを覆うレンズカバーと、前記レンズカバーを保持する保持部材とを備える。前記レンズカバーは、透光性を有する不燃材により、前記固体光源から離れる向きに突出する形状に形成されている。
【発明の効果】
【０００８】
本発明の照明装置は、安全性を保ちつつレンズの加工性及び設計の自由度の向上を図ることができるという効果がある。
【図面の簡単な説明】
【０００９】
【図１】図１は、本発明の実施形態に係る照明装置の斜視図である。
【図２】図２は、同上の照明装置の正面図である。
【図３】図３は、同上の照明装置における要部の断面図である。
【図４】図４は、同上の照明装置における要部の断面図である。
【図５】図５は、第１変形例の照明装置における要部の断面図である。
【図６】図６は、第２変形例の照明装置における要部の断面図である。
【図７】図７は、第３変形例の照明装置における要部の断面図である。
【発明を実施するための形態】
【００１０】
以下、実施形態に係る照明装置１について、図１〜図７を参照して詳細に説明する。以下の説明では、特に断りのない限り、図１において矢印で示す前後、左右、上下の向きを照明装置１の前後、左右、上下の向きとみなす。ただし、下記の実施形態において説明する各図は模式的な図であり、各構成要素の大きさや厚さそれぞれの比が必ずしも実際の寸法比を反映しているとは限らない。なお、以下の実施形態で説明する構成は本発明の一例にすぎない。本発明は、以下の実施形態に限定されず、本発明の効果を奏することができれば、設計等に応じて種々の変更が可能である。
【００１１】
本実施形態の照明装置１は、高層ビルや大型商業施設などの建物に設置され、当該建物に設置されている非常用電源から電源供給を受けて非常時照明を行う、いわゆる電源別置形非常時用照明器具である。すなわち、照明装置１は、図１に示すように、建物内の天井材Ａ１に設けられた埋込孔Ａ１１に一部分を埋め込むようにして天井材Ａ１（天井）に設置される。ただし、照明装置は、蓄電池からなる非常用電源を内蔵した電池内蔵形非常時用照明器具であってもかまわない。
【００１２】
照明装置１は、図１〜図３に示すように、ＬＥＤ２と、ＬＥＤホルダ３と、レンズ４と、レンズカバー５と、保持部材６とを備える。照明装置１は、ケース７と、端子台１０と、カバー８０と、一対の支持具８１とを更に備える。
【００１３】
固体光源であるＬＥＤ２は、例えば、ＣＯＢ（Chip on Board）型の照明用白色ＬＥＤである。ＬＥＤ２は、発光部２０と実装基板２１を有する（図３参照）。発光部２０は、実装基板２１に実装された一つ以上の青色ＬＥＤチップ（不図示）と、一つ以上の青色ＬＥＤチップを封止する封止部とを有する。封止部は、透光性を有する合成樹脂（例えば、シリコーン樹脂）と、当該合成樹脂に混入される蛍光物質とを有する。青色ＬＥＤチップから放射される青色光の一部が封止部を透過する際に蛍光物質によって黄色光に波長変換される。その結果、発光部２０から出射する青色光と黄色光によって白色光が得られる。ただし、固体光源はＬＥＤに限定されない。固体光源は、半導体レーザ素子又は有機エレクトロルミネセンス素子などの固体発光素子であってもかまわない。
【００１４】
支持部材であるＬＥＤホルダ３は、枠状に形成されている（図３参照）。ＬＥＤホルダ３は、実装基板２１の周辺部分にかぶさるようにしてＬＥＤ２を支持する。なお、ＬＥＤホルダ３は、ポリエチレン樹脂又はポリカーボネート樹脂のように耐熱温度の高い合成樹脂で形成されることが好ましい。なお、ポリエチレン樹脂の耐熱温度は、９０℃〜１１０℃である。また、ポリカーボネート樹脂の耐熱温度は、１２０℃〜１３０℃である。
【００１５】
レンズ４は、図３及び図４に示すように、ＬＥＤ２から放射される光の光路（図４における実線の矢印参照）上に配置される。具体的には、レンズ４は、ＬＥＤ２の発光部２０を覆うようにしてＬＥＤホルダ３に支持される。
【００１６】
レンズ４は、透光性を有する合成樹脂で形成される。レンズ４を形成する合成樹脂材料は、例えば、アクリル樹脂又はシリコーン樹脂が好ましい。レンズ４は、半球面状の入射面４０と、入射面４０と同心の半球面状に形成された出射面４１とを有する。つまり、レンズ４は、均一の厚みを有する半球殻状に形成されている。ただし、レンズ４の形状は半球殻状に限定されない。レンズ４は、非常時用照明器具に必要とされる配光特性を実現することができれば、どのような形状であってもかまわない。特に、レンズ４が合成樹脂材料で形成されれば、レンズ４がガラス材料（例えば、ホウケイ酸ガラスなど）で形成される場合に比べて、レンズ４の形状に関する設計の自由度が高くなる。
【００１７】
レンズカバー５は、図３に示すように、本体部５０と、フランジ部５１とを有する。本体部５０は、ＬＥＤ２から離れる向き（下向き）に突き出た半球殻状に形成されている。フランジ部５１は、円環状に形成されている。フランジ部５１は、本体部５０の周縁から外向きに突き出ている。本体部５０とフランジ部５１は、透光性を有する不燃材によって一体に形成されている。レンズカバー５を形成する不燃材は、例えば、ホウケイ酸ガラスなどの二酸化ケイ素を主成分とするガラス（無機ガラスとも呼ばれる。）が好ましい。
【００１８】
本体部５０は、半球面状の入射面５００と、入射面５００と同心の半球面状に形成された出射面５０１とを有する。つまり、本体部５０は、均一の厚みを有する半球殻状に形成されている。また、本体部５０の出射面５０１の曲率は、レンズ４の出射面４１の曲率に等しいことが好ましい。ただし、本体部５０の形状は半球殻状に限定されない。例えば、本体部５０の形状は、円錐台形状や円筒形状であってもかまわない。また、本体部５０の中央部分の厚みは、本体部５０の周辺部分の厚みより薄くてもかまわない。本体部５０の中央部分の厚みが本体部５０の周辺部分の厚みより薄い場合、本体部５０の中央部分を透過する光の減衰を抑制することができる。その結果、照明装置１は、直下の照度アップを図ることができる。
【００１９】
レンズカバー５は、本体部５０によってレンズ４を覆うように保持部材６に保持される（図３参照）。
【００２０】
保持部材６は、例えば、アルミニウム又はアルミニウム合金などの金属材料によって平たんな板状に形成されている（図３参照）。ＬＥＤ２とレンズ４は、ＬＥＤホルダ３によって保持部材６の下面に取り付けられて保持部材６に保持される。なお、ＬＥＤホルダ３は、ねじ止めなどの適宜の固定方法によって保持部材６に固定されることが好ましい。また、レンズカバー５は、保持部材６の下面に取り付けられる。具体的には、フランジ部５１が保持部材６の下面にねじ止めされることによって、レンズカバー５が保持部材６に保持される。
【００２１】
ケース７は、下面が開口し、かつ上部を底部とする上下方向に長い有底筒状に形成されている（図１参照）。ケース７は、亜鉛鋼板又はステンレス鋼板などの金属板で形成されることが好ましい。ケース７の前面の上部に四角形状の窓７０が開口している。ケース７は、ＬＥＤ２、ＬＥＤホルダ３、レンズ４及びレンズカバー５を保持部材６と、ＬＥＤ２を点灯させる点灯装置（不図示）と、端子台１０とを内部に収容する。保持部材６は、ケース７の内部に収容された状態でケース７にねじ止めされる。また、ケース７の左側面及び右側面のそれぞれに、支持具８１が一つずつ取り付けられている（図１及び図２参照）。
【００２２】
端子台１０は、例えば、ねじなし端子台（速結端子台とも呼ばれる。）である。端子台１０は、直方体形状の筐体を有する。端子台１０の筐体の前面に、二対の１次側（電源側）の差込孔１００と、二対の２次側（負荷側）の差込孔１０１（図２参照）とが設けられている。ケース７の窓７０を通して端子台１０の二対の差込孔１００がケース７の外に露出している（図２参照）。つまり、端子台１０は、それぞれの差込孔１００、１０１に導体（例えば、銅製の単線）を差し込むだけで導体との電気的な接続を完了させることができる。端子台１０の２次側の差込孔１０１には２次側の２本の電線（不図示）の各導体が１つずつ差し込まれる。端子台１０の１次側の二対の差込孔１００には、非常用電源からの給電が行われる一対の電線（不図示）の導体と、送り配線用の一対の電線（不図示）の導体とが各々１つずつ差し込まれる。
【００２３】
カバー８０は、アルミニウムのような金属材料により、中央に円形の窓孔８００を有する円板状に形成されている（図１参照）。カバー８０の上面に保持部材６及びケース７が取り付けられる。保持部材６は、複数本のねじでカバー８０にねじ止めされることによってカバー８０に取り付けられる。レンズカバー５の本体部５０は、窓孔８００に通されてカバー８０の下面よりも下に飛び出している（図２参照）。なお、ケース７は、保持部材６を介してカバー８０に保持される。
【００２４】
ここで、実施形態の照明装置１では、不燃材製のレンズカバー５でレンズ４を覆っている。したがって、レンズ４は、不燃材製のレンズカバー５で火災の炎等から守られているので、可燃物である合成樹脂材料によって形成されることができる。レンズ４が合成樹脂材料で形成されれば、レンズ４がガラス材料で形成される場合に比べて、レンズ４の製造コストを下げつつレンズ４の性能の向上を図ることができる。ゆえに、実施形態の照明装置１は、安全性を保ちつつレンズ４の加工性及び設計の自由度の向上を図ることができる。
【００２５】
次に、実施形態の照明装置１の幾つかの変形例を説明する。第１変形例の照明装置１は、図５に示すように、レンズカバー５の本体部５０がレンズ４の出射面４１と接触している。ゆえに、第１変形例の照明装置１は、実施形態の照明装置１に対して、レンズカバー５から出射される光量及び配光特性をほぼ等しく保ちつつ、レンズカバー５の小型化を図ることができる。
【００２６】
第２変形例の照明装置１は、図６に示すように、複数（図示は三つ）のＬＥＤ２、複数（ＬＥＤ２と同数）のレンズ４及び複数（ＬＥＤ２及びレンズ４と同数）のレンズカバー５を備えている。ただし、各ＬＥＤ２、レンズ４及びレンズカバー５は、実施形態の照明装置１におけるＬＥＤ２、レンズ４及びレンズカバー５に対して小型である点を除いて共通の構成を有している。複数のレンズ４は、複数のＬＥＤ２と一対一に対応して設けられている。また、複数のレンズカバー５は、複数のレンズ４と一対一に対応して設けられている。第２変形例の照明装置１は、複数のＬＥＤ２及び複数のレンズ４を備えることにより、実施形態の照明装置１に比べて、配光特性を細かく調整することができる。
【００２７】
第３変形例の照明装置１は、図７に示すように、第２変形例の照明装置１において、複数のＬＥＤ２と複数のレンズ４をまとめて一つのレンズカバー５（本体部５０）で覆うように構成されている。第３変形例の照明装置１は、第２変形例の照明装置１に比べ、前後方向及び左右方向においてレンズカバー５及び保持部材６の小型化を図ることができる。
【００２８】
ところで、レンズカバー５を形成する材料の屈折率と、レンズ４を形成する材料の屈折率とは等しいことが好ましい。例えば、レンズ４を形成する材料がアクリル樹脂であり、レンズカバー５を形成する材料がホウケイ酸ガラスであることが好ましい。ちなみに、アクリル樹脂の屈折率及びホウケイ酸ガラスの屈折率は、一般に１．４９程度である。
【００２９】
上述のようにレンズ４とレンズカバー５の各々の材料の屈折率が等しければ、レンズ４とレンズカバー５の各々の材料の屈折率が等しくないときに比べて、レンズカバー５の屈折率を考慮したレンズ４の配光特性の調整が容易になる。
【００３０】
ところで、ＬＥＤホルダ３を形成する合成樹脂材料（ポリカーボネート樹脂又はポリエチレン樹脂）の耐熱温度は、レンズ４を形成する合成樹脂材料（アクリル樹脂）の耐熱温度よりも高い。例えば、ポリカーボネート樹脂の耐熱温度は、１２０℃〜１３０℃であり、アクリル樹脂の耐熱温度は、一般に７０℃〜９０℃である。このように、ＬＥＤホルダ３を形成する材料の耐熱温度がレンズ４を形成する材料の耐熱温度よりも高ければ、ケース７内の温度が異常に上昇したときにＬＥＤホルダ３に変形などの不具合が生じる可能性を低減することができる。
【００３１】
また、実施形態及び各変形例の照明装置１において、レンズカバー５の本体部５０の出射面５０１の曲率とレンズ４の出射面４１の曲率が等しく、かつ、レンズカバー５の厚みが均一である。そのため、実施形態及び各変形例の照明装置１は、本体部５０の出射面５０１の曲率とレンズ４の出射面４１の曲率が等しくないときに比べて、レンズカバー５を考慮したレンズ４の配光特性の調整が容易になる。
【００３２】
上述のように第１の態様に係る照明装置（１）は、一つ以上の固体光源（ＬＥＤ２）と、固体光源を支持する支持部材（ＬＥＤホルダ３）と、固体光源から放射される光の光路上に配置される一つ以上のレンズ（４）とを備える。第１の態様に係る照明装置（１）は、レンズ（４）を覆うレンズカバー（５）と、レンズカバー（５）を保持する保持部材（６）とを備える。レンズカバー（５）は、透光性を有する不燃材により、固体光源から離れる向きに突出する形状に形成されている。
【００３３】
第１の態様に係る照明装置（１）は、不燃材製のレンズカバー（５）によってレンズ（４）を保護できるため、可燃物である合成樹脂材料によってレンズ（４）を形成することができる。ゆえに、第１の態様に係る照明装置（１）は、レンズ（４）を不燃性のガラス材料で形成する場合に比べて、レンズ（４）の製造コストを下げつつレンズ（４）の性能の向上を図ることができる。その結果、第１の態様に係る照明装置（１）は、安全性を保ちつつレンズ（４）の加工性及び設計の自由度の向上を図ることができる。
【００３４】
第２の態様に係る照明装置（１）は、第１の態様との組合せにより実現され得る。第２の態様に係る照明装置（１）において、レンズカバー（５）を形成する材料の屈折率と、レンズ（４）を形成する材料の屈折率とが等しいことが好ましい。
【００３５】
第２の態様に係る照明装置（１）は、レンズ（４）とレンズカバー（５）の各々の材料の屈折率が等しくないときに比べて、レンズカバー（５）の屈折率を考慮したレンズ（４）の配光特性の調整が容易になる。
【００３６】
第３の態様に係る照明装置（１）は、第２の態様との組合せにより実現され得る。第３の態様に係る照明装置（１）において、レンズ（４）を形成する材料がアクリル樹脂であり、レンズカバー（５）を形成する材料がホウケイ酸ガラスであることが好ましい。
【００３７】
第３の態様に係る照明装置（１）は、レンズ（４）を形成する材料とレンズカバー（５）を形成する材料の各々の屈折率を簡単かつ安価に等しくすることができる。
【００３８】
第４の態様に係る照明装置（１）は、第１〜第３の態様のいずれか一つとの組合せにより実現され得る。第４の態様に係る照明装置（１）において、支持部材は、固体光源とともにレンズ（４）を支持していることが好ましい。支持部材を形成する材料の耐熱温度は、レンズ（４）を形成する材料の耐熱温度よりも高いことが好ましい。
【００３９】
第４の態様に係る照明装置（１）は、温度が異常に上昇したときに支持部材に変形などの不具合が生じる可能性を低減することができる。
【００４０】
第５の態様に係る照明装置（１）は、第１〜第４の態様のいずれか一つとの組合せにより実現され得る。第５の態様に係る照明装置（１）において、支持部材は、固体光源とともにレンズ（４）を支持していることが好ましい。支持部材を形成する材料が金属材料であることが好ましい。
【００４１】
第５の態様に係る照明装置（１）は、温度上昇によって支持部材に変形などの不具合が生じる可能性を更に低減することができる。
【００４２】
第６の態様に係る照明装置（１）は、第１〜第５の態様のいずれか一つとの組合せにより実現され得る。第６の態様に係る照明装置（１）において、保持部材（６）を形成する材料の耐熱温度は、レンズ（４）を形成する材料の耐熱温度よりも高いことが好ましい。
【００４３】
第６の態様に係る照明装置（１）は、温度上昇によって保持部材（６）に変形などの不具合が生じる可能性を低減することができる。
【００４４】
第７の態様に係る照明装置（１）は、第６の態様との組合せにより実現され得る。第７の態様に係る照明装置（１）において、保持部材（６）を形成する材料は、金属材料であることが好ましい。
【００４５】
第７の態様に係る照明装置（１）は、温度上昇によって保持部材（６）に変形などの不具合が生じる可能性を更に低減することができる。
【００４６】
第８の態様に係る照明装置（１）は、第１〜第７の態様のいずれか一つとの組合せにより実現され得る。第８の態様に係る照明装置（１）において、レンズカバー（５）の表面（本体部５０の出射面５０１）の曲率は、レンズ（４）の表面（出射面４１）の曲率に等しく、かつ、レンズカバー（５）の厚みが均一であることが好ましい。
【００４７】
第８の態様に係る照明装置（１）は、レンズカバー（５）の表面の曲率とレンズ（４）の表面の曲率が等しくないときに比べて、レンズカバー（５）のを考慮したレンズ（４）の配光特性の調整が容易になる。
【００４８】
第９の態様に係る照明装置（１）は、第１〜第７の態様のいずれか一つとの組合せにより実現され得る。第９の態様に係る照明装置（１）において、レンズカバー（５）の中央部分の厚みが、レンズカバー（５）の周辺部分の厚みよりも薄いことが好ましい。
【００４９】
第９の態様に係る照明装置（１）は、レンズカバー（５）の中央部分を透過する光の減衰を抑制して照度アップを図ることができる。
【００５０】
第１０の態様に係る照明装置（１）は、第８又は第９の態様との組合せにより実現され得る。第１０の態様に係る照明装置（１）において、レンズカバー（５）は、レンズ（４）の表面に接触していることが好ましい。
【００５１】
第１０の態様に係る照明装置（１）は、レンズカバー（５）がレンズ（４）の表面に接触しないときに比べて、レンズカバー（５）から出射される光量及び配光特性をほぼ等しく保ちつつ、レンズカバー（５）の小型化を図ることができる。
【００５２】
第１１の態様に係る照明装置（１）は、第１〜第１０の態様のいずれか一つとの組合せにより実現され得る。第１１の態様に係る照明装置（１）において、固体光源及びレンズ（４）の各々を複数備えることが好ましい。複数のレンズ（４）の各々は、複数の固体光源のうちで一対一に対応する一つの固体光源から放射される光の光路上に配置されていることが好ましい。
【００５３】
第１１の態様に係る照明装置（１）は、複数の固体光源及び複数のレンズ（４）を備えることにより、配光特性を細かく調整することができる。
【００５４】
第１２の態様に係る照明装置（１）は、第１１の態様との組合せにより実現され得る。第１２の態様に係る照明装置（１）において、レンズカバー（５）は、複数のレンズ（４）を覆うことが好ましい。
【００５５】
第１２の態様に係る照明装置（１）は、前後方向及び左右方向においてレンズカバー（５）及び保持部材（６）の小型化を図ることができる。
【符号の説明】
【００５６】
１  照明装置
２  ＬＥＤ（固体光源）
３  ＬＥＤホルダ（支持部材）
４  レンズ
５  レンズカバー
６  保持部材
４１  出射面
５０  本体部
５０１  出射面
【図１】
2019220359.tif 000003
【図２】
2019220359.tif 000004
【図３】
2019220359.tif 000005
【図４】
2019220359.tif 000006
【図５】
2019220359.tif 000007
【図６】
2019220359.tif 000008
【図７】
2019220359.tif 000009